【手続補正書】
【提出日】平成23年1月7日(2011.1.7)
【手続補正１】
【補正対象書類名】特許請求の範囲
【補正対象項目名】全文
【補正方法】変更
【補正の内容】
【特許請求の範囲】
【請求項１】
スライドガラス上に塗抹された検体から白血球を検出する検出手段と、
前記検出手段により検出された白血球と、前記白血球の周辺の複数の赤血球とを含む領域を撮像する撮像手段と、
前記撮像手段により得られた細胞画像から前記白血球を含む部分画像を取得する部分画像取得手段と、
前記部分画像を白血球モニタ用画像として記憶し、前記撮像手段により得られた細胞画像を赤血球モニタ用画像として記憶する記憶部とを備える、細胞画像処理システム。
【請求項２】
表示部と、
前記記憶部に記憶された前記赤血球モニタ用画像および前記白血球モニタ用画像を前記表示部に表示させる表示制御手段とをさらに含む、請求項１に記載の細胞画像処理システム。
【請求項３】
前記表示制御手段は、前記赤血球モニタ用画像および前記白血球モニタ用画像の一方の画像のみを含む画面を前記表示部に表示させるように構成されているとともに、前記画面を、前記赤血球モニタ用画像および前記白血球モニタ用画像の他方の画像のみを含む画面に切り替えるための切り替え指示を受け付ける切り替え指示受付手段を含む、請求項２に記載の細胞画像処理システム。
【請求項４】
前記表示部に表示された前記赤血球モニタ用画像を含む画面を介して、前記赤血球モニタ用画像に含まれる赤血球の形態に関する情報の入力を受け付けるための形態情報受付手段をさらに備える、請求項２または３に記載の細胞画像処理システム。
【請求項５】
前記白血球モニタ用画像に基づいて、前記白血球モニタ用画像に含まれる白血球の細胞種を、白血球に属する複数の細胞種の中から決定する細胞種決定手段と、
白血球に属する前記複数の細胞種のうち、前記表示部に表示させる細胞種を決定する表示細胞種決定手段とをさらに備え、
前記表示制御手段は、前記記憶部に記憶された白血球モニタ用画像のうち、前記表示細胞種決定手段により決定された細胞種を含む白血球モニタ用画像を前記表示部に表示させるように構成されている、請求項２〜４のいずれか１項に記載の細胞画像処理システム。
【請求項６】
前記撮像手段は、所定数の細胞画像を取得するよう構成され、
前記撮像手段により取得された前記所定数の細胞画像から取得された前記所定数の部分画像を白血球モニタ用画像として前記記憶部に記憶させ、前記撮像手段により取得された前記所定数の細胞画像のうち、前記所定数よりも少ない数の細胞画像を赤血球モニタ用画像として前記記憶部に記憶させる記憶制御手段をさらに備える、請求項１〜５のいずれか１項に記載の細胞画像処理システム。
【請求項７】
前記部分画像取得手段は、前記撮像手段により取得された細胞画像から前記検出手段により検出された前記白血球が１つだけ存在する領域を切り出す画像切り出し手段を含む、請求項１〜６のいずれか１項に記載の細胞画像処理システム。
【請求項８】
スライドガラス上に塗抹された検体から検出された白血球と、前記白血球の周辺の複数の赤血球とを含む領域を撮像して得られた細胞画像を取得し、取得した前記細胞画像から前記白血球を含む部分画像を取得する制御手段と、
前記部分画像を白血球モニタ用画像として記憶し、前記細胞画像を赤血球モニタ用画像として記憶する記憶部とを備える、細胞画像処理装置。
【請求項９】
スライドガラス上に塗抹された検体を撮像して得られた細胞画像を出力する細胞画像処理装置と、
前記細胞画像処理装置にネットワークを介して接続されたモニタ端末とを備え、
前記細胞画像処理装置は、
スライドガラス上に塗抹された検体から白血球を検出する検出手段と、
前記検出手段により検出された白血球と、前記白血球の周辺の複数の赤血球とを含む領域を撮像する撮像手段と、
前記撮像手段により取得された細胞画像から前記白血球を含む部分画像を取得する部分画像取得手段と、
前記細胞画像および前記部分画像を前記モニタ端末に送信する送信手段とを含み、
前記モニタ端末は、
前記送信手段から送信された前記細胞画像および前記部分画像を受信する受信手段と、
前記受信手段により受信された前記細胞画像を赤血球モニタ用画像として表示し、前記受信手段により受信された前記部分画像を白血球モニタ用画像として表示する表示手段とを含む、細胞画像表示システム。
【請求項１０】
スライドガラス上に塗抹された検体から白血球を検出するステップと、
検出した白血球と、前記白血球の周辺の複数の赤血球とを含む細胞画像を取得するステップと、
前記細胞画像から前記白血球を含む部分画像を取得するステップと、
前記部分画像を白血球モニタ用画像として表示し、前記細胞画像を赤血球モニタ用画像として表示するステップとを備える、細胞画像表示方法。
【手続補正２】
【補正対象書類名】明細書
【補正対象項目名】０００９
【補正方法】変更
【補正の内容】
【０００９】
上記目的を達成するために、この発明の第１の局面における細胞画像処理システムは、スライドガラス上に塗抹された検体から白血球を検出する検出手段と、検出手段により検出された白血球と、白血球の周辺の複数の赤血球とを含む領域を撮像する撮像手段と、撮像手段により得られた細胞画像から白血球を含む部分画像を取得する部分画像取得手段と、部分画像を白血球モニタ用画像として記憶し、撮像手段により得られた細胞画像を赤血球モニタ用画像として記憶する記憶部とを備える。
【手続補正３】
【補正対象書類名】明細書
【補正対象項目名】００１０
【補正方法】変更
【補正の内容】
【００１０】
この発明の第１の局面による細胞画像処理システムでは、上記のように、検出手段により検出された白血球と白血球の周辺の複数の赤血球とを含む領域を撮像する撮像手段と、撮像手段により得られた細胞画像から白血球を含む部分画像を取得する部分画像取得手段と、部分画像を白血球モニタ用画像として記憶し、撮像手段により得られた細胞画像を赤血球モニタ用画像として記憶する記憶部とを設けることによって、赤血球モニタ用画像として用いられる細胞画像から白血球モニタ用画像としての部分画像が取得されるので、白血球モニタ用画像および赤血球モニタ用画像をそれぞれ別々に撮像する必要がない。これにより、記憶部に記憶された白血球モニタ用画像および赤血球モニタ用画像を用いて、白血球および赤血球の観察（モニタ）を行うことができるとともに、白血球モニタ用画像および赤血球モニタ用画像をそれぞれ別々に撮像する必要がない分、検体の撮像処理に時間がかかるのを抑制することができる。
【手続補正４】
【補正対象書類名】明細書
【補正対象項目名】００１１
【補正方法】変更
【補正の内容】
【００１１】
上記第１の局面による細胞画像処理システムにおいて、好ましくは、表示部と、記憶部に記憶された赤血球モニタ用画像および白血球モニタ用画像を表示部に表示させる表示制御手段とをさらに含む。このように構成すれば、ユーザは、白血球モニタ用画像および赤血球モニタ用画像を表示部により視認することができるので、容易に、白血球および赤血球の観察（モニタ）を行うことができる。
【手続補正５】
【補正対象書類名】明細書
【補正対象項目名】００１２
【補正方法】変更
【補正の内容】
【００１２】
この場合、好ましくは、表示制御手段は、赤血球モニタ用画像および白血球モニタ用画像の一方の画像のみを含む画面を表示部に表示させるように構成されているとともに、上記画面を、赤血球モニタ用画像および白血球モニタ用画像の他方の画像のみを含む画面に切り替えるための切り替え指示を受け付ける切り替え指示受付手段を含む。このように構成すれば、ユーザは、白血球モニタ用画像および赤血球モニタ用画像を切り替え指示受付手段により切り替えながら、容易に、白血球および赤血球の観察（モニタ）を行うことができる。
【手続補正６】
【補正対象書類名】明細書
【補正対象項目名】００１３
【補正方法】変更
【補正の内容】
【００１３】
上記表示部を備えた構成において、好ましくは、表示部に表示された赤血球モニタ用画像を含む画面を介して、赤血球モニタ用画像に含まれる赤血球の形態に関する情報の入力を受け付けるための形態情報受付手段をさらに備える。このように構成すれば、ユーザは、赤血球モニタ用画像を視認しながら赤血球の形態に関する情報を入力することができる。
【手続補正７】
【補正対象書類名】明細書
【補正対象項目名】００１４
【補正方法】変更
【補正の内容】
【００１４】
上記表示部を備えた構成において、好ましくは、白血球モニタ用画像に基づいて、当該白血球モニタ用画像に含まれる白血球の細胞種を白血球に属する複数の細胞種の中から決定する細胞種決定手段と、白血球に属する上記複数の細胞種のうち、上記表示部に表示させる細胞種を決定する表示細胞種決定手段とをさらに備え、表示制御手段は、記憶部に記憶された白血球モニタ用画像のうち、表示細胞種決定手段により決定された細胞種を含む白血球モニタ用画像を表示部に表示させるように構成されている。このように構成すれば、ユーザが目視により白血球の細胞種を決定することなく細胞種決定手段により自動的に白血球の細胞種が決定されるので、ユーザの負担を軽減することができる。また、白血球に属する複数の細胞種のうち、表示細胞種決定手段により決定された細胞種だけが表示部に表示されるので、観察（モニタ）する必要がある細胞種だけを表示部に表示することができ、ユーザは観察が必要な細胞種だけを容易に観察（モニタ）することができる。
【手続補正８】
【補正対象書類名】明細書
【補正対象項目名】００１５
【補正方法】変更
【補正の内容】
【００１５】
上記第１の局面による細胞画像処理システムにおいて、好ましくは、撮像手段は所定数の細胞画像を取得するよう構成され、撮像手段により取得された上記所定数の細胞画像から取得された上記所定数の部分画像を白血球モニタ用画像として記憶部に記憶させ、撮像手段により取得された上記所定数の細胞画像のうち、上記所定数よりも少ない数の細胞画像を赤血球モニタ用画像として記憶部に記憶させる記憶制御手段をさらに備える。このように構成すれば、赤血球モニタ用画像の数が白血球モニタ用画像の数よりも少ない場合であっても、赤血球の観察を有効に行うことができる。そのため、白血球モニタ用画像と赤血球モニタ用画像を同じ数だけ記憶部に記憶させる場合に比べて、白血球モニタ用画像よりも少ない数の赤血球モニタ用画像を記憶部に記憶させることにより、赤血球の観察に必要な画像を確保しつつ、血球画像を記憶するのに必要な記憶部の領域および血球画像を記憶するための時間を減少させることができる。
【手続補正９】
【補正対象書類名】明細書
【補正対象項目名】００１６
【補正方法】変更
【補正の内容】
【００１６】
上記第１の局面による細胞画像処理システムにおいて、好ましくは、部分画像取得手段は、撮像手段により取得された細胞画像から検出手段により検出された白血球が１つだけ存在する領域を切り出す画像切り出し手段を含む。このように構成すれば、１つの白血球モニタ用画像に１つの白血球だけが含まれるように部分画像が切り出されるので、１つの白血球モニタ用画像に複数の白血球が存在する場合に比べて、ユーザは容易に白血球の観察（モニタ）を行うことができる。
【手続補正１０】
【補正対象書類名】明細書
【補正対象項目名】００１７
【補正方法】変更
【補正の内容】
【００１７】
この発明の第２の局面における細胞画像処理装置は、スライドガラス上に塗抹された検体から検出された白血球と、白血球の周辺の複数の赤血球とを含む領域を撮像して得られた細胞画像を取得し、取得した細胞画像から白血球を含む部分画像を取得する制御手段と、部分画像を白血球モニタ用画像として記憶し、細胞画像を赤血球モニタ用画像として記憶する記憶部とを備える。
【手続補正１１】
【補正対象書類名】明細書
【補正対象項目名】００１８
【補正方法】変更
【補正の内容】
【００１８】
この発明の第２の局面による細胞画像処理装置では、上記のように、検体から検出された白血球と白血球の周辺の複数の赤血球とを含む領域を撮像して得られた細胞画像を取得し、取得した細胞画像から白血球を含む部分画像を取得する制御手段と、部分画像を白血球モニタ用画像として記憶し、細胞画像を赤血球モニタ用画像として記憶する記憶部とを設けることによって、赤血球モニタ用画像として用いられる細胞画像から白血球モニタ用画像としての部分画像が取得されるので、白血球モニタ用画像および赤血球モニタ用画像をそれぞれ別々に撮像する必要がない。これにより、記憶部に記憶された白血球モニタ用画像および赤血球モニタ用画像を用いて、白血球および赤血球の観察（モニタ）を行うことができるとともに、白血球モニタ用画像および赤血球モニタ用画像をそれぞれ別々に撮像する必要がない分、検体の撮像処理に時間がかかるのを抑制することができる。
【手続補正１２】
【補正対象書類名】明細書
【補正対象項目名】００１９
【補正方法】変更
【補正の内容】
【００１９】
この発明の第３の局面における細胞画像表示システムは、スライドガラス上に塗抹された検体を撮像して得られた細胞画像を出力する細胞画像処理装置と、細胞画像処理装置にネットワークを介して接続されたモニタ端末とを備え、細胞画像処理装置は、スライドガラス上に塗抹された検体から白血球を検出する検出手段と、検出手段により検出された白血球と、白血球の周辺の複数の赤血球とを含む領域を撮像する撮像手段と、撮像手段により取得された細胞画像から白血球を含む部分画像を取得する部分画像取得手段と、細胞画像および部分画像をモニタ端末に送信する送信手段とを含み、モニタ端末は、送信手段から送信された細胞画像および部分画像を受信する受信手段と、受信手段により受信された細胞画像を赤血球モニタ用画像として表示し、受信手段により受信された部分画像を白血球モニタ用画像として表示する表示手段とを含む。
【手続補正１３】
【補正対象書類名】明細書
【補正対象項目名】００２０
【補正方法】変更
【補正の内容】
【００２０】
この発明の第３の局面による細胞画像表示システムでは、上記のように、細胞画像処理装置に、検出手段により検出された白血球と白血球の周辺の複数の赤血球とを含む領域を撮像する撮像手段と、撮像手段により取得された細胞画像から白血球を含む部分画像を取得する部分画像取得手段とを設けるとともに、モニタ端末に、受信手段により受信された細胞画像を赤血球モニタ用画像として表示し、受信手段により受信された部分画像を白血球モニタ用画像として表示する表示手段を設けることによって、赤血球モニタ用画像として用いられる細胞画像から白血球モニタ用画像としての部分画像が取得されるので、白血球モニタ用画像および赤血球モニタ用画像をそれぞれ別々に撮像する必要がない。これにより、モニタ端末に表示される白血球モニタ用画像および赤血球モニタ用画像を用いて、白血球および赤血球の観察（モニタ）を行うことができるとともに、白血球モニタ用画像および赤血球モニタ用画像をそれぞれ別々に撮像する必要がない分、検体の撮像処理に時間がかかるのを抑制することができる。また、細胞画像処理装置に、細胞画像および部分画像をモニタ端末に送信する送信手段を設けるとともに、モニタ端末に、送信手段から送信された細胞画像および部分画像を受信する受信手段を設けることによって、細胞画像処理装置から離れた場所でも、ユーザはモニタ端末により白血球および赤血球の観察（モニタ）を行うことができる。
【手続補正１４】
【補正対象書類名】明細書
【補正対象項目名】００２１
【補正方法】変更
【補正の内容】
【００２１】
この発明の第４の局面における細胞画像表示方法は、スライドガラス上に塗抹された検体から白血球を検出するステップと、検出した白血球と、白血球の周辺の複数の赤血球とを含む細胞画像を取得するステップと、細胞画像から白血球を含む部分画像を取得するステップと、部分画像を白血球モニタ用画像として表示し、細胞画像を赤血球モニタ用画像として表示するステップとを備える。
【手続補正１５】
【補正対象書類名】明細書
【補正対象項目名】００２２
【補正方法】変更
【補正の内容】
【００２２】
この発明の第４の局面による細胞画像表示方法では、上記のように、白血球と白血球の周辺の複数の赤血球とを含む細胞画像を取得するステップと、細胞画像から白血球を含む部分画像を取得するステップと、部分画像を白血球モニタ用画像として表示し、細胞画像を赤血球モニタ用画像として表示するステップとを設けることによって、赤血球モニタ用画像として用いられる細胞画像から白血球モニタ用画像としての部分画像が取得されるので、白血球モニタ用画像および赤血球モニタ用画像をそれぞれ別々に撮像する必要がない。これにより、表示される白血球モニタ用画像および赤血球モニタ用画像を用いて、白血球および赤血球の観察（モニタ）を行うことができるとともに、白血球モニタ用画像および赤血球モニタ用画像をそれぞれ別々に撮像する必要がない分、検体の撮像処理に時間がかかるのを抑制することができる。